(57)【要約】【課題】階層化された情報項目が一目で分かるようにし、目的の情報を容易に見つけ出せるようにした表示装置を実現する。【解決手段】本表示装置１は、情報５０と情報項目６０とを同時に表示するディスプレイ２（表示手段）と、このディスプレイ２への表示を制御する表示制御手段３とを備える。表示制御手段３は、ディスプレイ２に対し、情報５０を表示する情報画面７の周囲に情報項目６０を階層毎に区分して表示する複数の階層メニュー８１，８２，８３を配置した画面構成として、階層メニュー８１，８２，８３には情報画面７に表示する情報５０と関連付けられた情報項目６０を表示させる。表示制御手段３は、階層メニュー８１，８２，８３における情報項目６０の各々の配置部分を情報画面７における画面切替え用タブスイッチ８として機能させる。これにより、タブスイッチ８を１回選択するだけの一操作で情報表示７の画面切替えを行うことができる。【選択図】  図３
2005011107.tif 000002
【特許請求の範囲】
【請求項１】
階層化された情報項目を選択することにより画面上に所望の情報を表示させる表示装置であって、
上記情報と上記情報項目とを同時に表示する画面を備えた表示手段と、
上記情報を表示する情報画面の周囲に上記情報項目を階層毎に区分して表示する複数の階層メニューを配置した画面構成として、上記階層メニューには上記情報画面に表示する情報と関連付けられた情報項目を表示させ、且つ上記階層メニューにおける情報項目の各々の配置部分を上記情報画面における画面切替え用タブスイッチとして機能させる表示制御手段とを備えることを特徴とする表示装置。
【請求項２】
請求項１に記載の表示装置において、
上記情報画面に表示された情報の履歴を記憶する履歴記憶手段を有し、
上記表示制御手段は、最下位階層よりも上位の階層メニューのタブスイッチが選択されたときは、このタブスイッチの情報項目に関連付けられた情報の中から、上記履歴を参照して一番最近に表示された情報を上記情報画面に表示させるようにしたことを特徴とする表示装置。
【発明の詳細な説明】
【０００１】
【発明の属する技術分野】
本発明は、階層化された情報項目を基に画面上に所望の情報を表示させる表示装置に関し、画面上に表示させる情報の画面切替えを容易に行える表示装置に関するものである。例えば、成形品の取出機等のコントローラにおける表示装置として利用可能なものである。
【０００２】
【従来の技術】
従来、この種の表示装置としては、例えば、図５に示すように、階層化された情報項目６０をアイコン５００として階層毎のメニュー画面Ａ〜Ｃに表示させる。この表示装置では、情報項目を３階層に構成しており、まず、画面２００上に表示された最上位階層のメニュー画面Ａから情報項目６０を現すアイコン５００をタッチ式もしくはクリック等により選択する。すると、画面２００が１つ下位のメニュー画面Ｂに切替わる。同様に、メニュー画面Ｂのアイコン５００を選択すると、最下位のメニュー画面Ｃに画面２００が切替わる。そして、最下位階層のメニュー画面Ｃに表示された情報項目６０のアイコン５００を選択すると、画面２００が情報画面に切替わり、目的の情報５０が画面２００上に表示される。
【０００３】
【特許文献１】
特開平１１−２５４４９７号公報
【特許文献２】
特開２００２−５６７９号公報
【特許文献３】
特開２０００−２０２０１号公報
【特許文献４】
意匠登録第１０５５３２８号公報
【０００４】
【発明が解決しようとする課題】
しかしながら、上記表示装置においては、画面２００上の表示が階層毎のメニュー画面に順次切替わるため、アイコン５００で表示される情報項目６０の階層構造を熟知していないと、目的の情報５０を直ぐに見つけ出して画面２００上に表示させることが困難であった。すなわち、図５に示した３階層の場合、メニュー画面Ａからメニュー画面Ｃにたどり着くまでは少なくとも２回のメニュー画面の切替え操作を行う必要があり、しかも、たどり着いたメニュー画面Ｃに目的の情報５０の情報項目６０が見つからなかった場合は、１つ上の階層のメニュー画面Ｂまたはもう１つ上の階層のメニュー画面Ａに戻る画面切替え操作を行う必要があり、非常に面倒であった。
【０００５】
特に、上記表示装置が成形機における取出機のコントローラ（制御装置）における表示装置であれば、オペレータは、目的の情報５０を画面２００上に表示させないと取出機に対する各種操作を行うことができない。そのため、オペレータは、成形機や取出機の操作技能に加えて、更に表示装置の操作技能、すなわち、表示装置に表示される情報５０の種類・内容等の他に、情報５０を表示させるための情報項目６０の階層構造等にも熟知している必要がある。
【０００６】
本発明は、上記事情に鑑みてなされたものであり、階層化された情報項目が一目で分かるようにし、目的の情報を容易に見つけ出せるようにした表示装置を実現するものである。
【０００７】
【課題を解決するための手段】
請求項１に係る発明の表示装置は、階層化された情報項目を選択することにより画面上に所望の情報を表示させる表示装置であって、上記情報と上記情報項目とを同時に表示する画面を備えた表示手段と、上記情報を表示する情報画面の周囲に上記情報項目を階層毎に区分して表示する複数の階層メニューを配置した画面構成として、上記階層メニューには上記情報画面に表示する情報と関連付けられた情報項目を表示させ、且つ上記階層メニューにおける情報項目の各々の配置部分を上記情報画面における画面切替え用タブスイッチとして機能させる表示制御手段とを備えることを特徴とするものである。
これにより、情報と階層化された情報項目とを同一画面上に同時に表示するので、表示されている情報とこの情報に関連付けられた情報項目の階層構造が一見して分かる。しかも、複数の階層メニューにおける情報項目の各々の配置部分が情報画面における画面切替え用タブスイッチとして機能させるので、このタブスイッチを１回選択するだけの一操作で情報画面の画面切替えを行うことができ、今、表示している情報と異なる情報の表示を瞬時に行うことができる。特に、情報画面に情報を表示させた状態で、最下位の階層メニューのタブスイッチを選択すれば、１回の操作で、目的の情報を情報画面に瞬時に表示させることができる。
【０００８】
請求項２に係る発明の表示装置は、上記表示装置（請求項１）において、上記情報画面に表示された情報の履歴を記憶する履歴記憶手段を有し、上記表示制御手段は、最下位階層よりも上位の階層メニューのタブスイッチが選択されたときは、このタブスイッチの情報項目に関連付けられた情報の中から、上記履歴を参照して一番最近に表示された情報を上記情報画面に表示させるようにしたことを特徴とするものである。
これにより、最下位階層よりも上位の階層メニューのタブスイッチを選択したときでも、そのタブスイッチを１回選択するだけの一操作で、情報画面に目的とする情報を表示させることができ得る。
【０００９】
【発明の実施の形態】
以下に、本発明の実施の形態を添付図面を参照しながら説明する。図１は、本発明の実施の形態による表示装置１のブロック構成を示し、図２は、この表示装置１に表示する情報５０と関連付けられた情報項目６０の階層構造を示し、図３は、この表示装置１の画面構成を示す。
【００１０】
図１に示すように、この表示装置１は、成形機１０に設置される取出機２０のコントローラ３０（制御装置）における表示装置１として利用され、その画面上において階層化された情報項目６０を選択することにより取出機２０の操作や監視等に必要な所望の情報５０を表示させる装置である。そして、この表示装置１は、ディスプレイ２（表示手段）、表示制御手段３、履歴記憶手段４を備える。
【００１１】
また、この表示装置１は、外部の情報項目格納手段６および情報項目格納手段５と接続されている。情報項目格納手段６は、取出機２０の運転情報５０やティーチング情報５０等の、画面表示させる各種の情報５０を記憶するものであり、ＲＯＭ、ＲＡＭ等の外部メモリによって構成される。情報項目格納手段５は、上記の各情報５０と関連付けられた情報項目６０を記憶するものであり、ＲＯＭ、ＲＡＭ等の外部メモリによって構成される。
【００１２】
そして、図２に示すように、この情報項目６０は、３階層の階層構造となっている。すなわち、最下位階層の第３階層における情報項目６０は、上記各種の情報５０と１対１の関係で関連付けられ、その１つ上位の第２階層における情報項目６０は、この第３階層の情報項目６０を一定の共通項によって括り、更に１つ上位の最上位階層の第１階層における情報項目６０は、この第２階層の情報項目６０を一定の共通項によって括っている。この情報項目６０は、上記情報５０の見出しともなるが、各階層間で同一内容となってもよい。
【００１３】
なお、この情報項目６０の階層構造を示す階層データや情報項目格納手段６における情報５０との関連付けデータは、この情報項目格納手段５に記憶されていてもよいし、また、これらデータは、上記表示制御手段３に記憶され、情報項目格納手段５には情報項目６０の単なる記述データのみが記憶されていてもよい。
【００１４】
上記ディスプレイ２は、この表示装置１の画面となるものであり、上記情報５０と階層化された上記情報項目６０とを同時に表示させる。このディスプレイ２は、例えば、ＧＵＩ（Ｇｒａｐｈｉｃａｌ  Ｕｓｅｒ  Ｉｎｔｅｒｆａｃｅ）により画面上から対話式にタッチ入力できるタッチパネル式の液晶ディスプレイ２（ＬＣＤ：Ｌｉｑｕｉｄ  Ｃｒｙｓｔａｌ
Ｄｉｓｐｌａｙ）等で構成される。
【００１５】
上記表示制御手段３は、上記ディスプレイ２において上記情報５０を表示する情報画面７の周囲に沿って上記情報項目６０を階層毎に区分して表示する複数の階層メニュー８１，８２，８３を配置した画面構成の表示を実効させる。具体的には、情報項目６０を３階層の階層構造とする画面構成では、図３（ａ）に示すように、画面上に大きく矩形状の情報画面７が形成され、この矩形状の情報画面７の周囲の３辺にそれぞれ第１階層メニュー８１、第２階層メニュー８２、第３階層メニュー８３が形成される。
【００１６】
また、表示制御手段３は、上記ディスプレイ２において上記情報画面７に表示される情報５０と関連付けられた各階層の情報項目６０を上記の各階層メニュー８１，８２，８３に表示させる。
【００１７】
具体的には、図２を参照して、例えば、上記情報画面７に表示される情報５０が「情報１−１−１」の場合、この「情報１−１−１」と直列関係にある情報項目６０の「項目Ａ１」、「項目Ｂ１−１」、「項目Ｃ１−１−１」と、これら情報項目６０の「項目Ａ１」、「項目Ｂ１−１」、「項目Ｃ１−１−１」がそれぞれ並列関係にある情報項目６０の「項目Ａ２」〜「項目Ａｎ」、「項目Ｂ１−２」〜「項目Ｂ１−ｎ」、「項目Ｃ１−１−２」〜「項目Ｃ１−１−ｎ」とを、上記各階層メニュー８１，８２，８３に表示させる。なお、第１階層の情報項目６０は、情報画面７に表示される情報５０のすべてと上記の直列関係または並列関係を有するため、画面上の第１階層メニュー８１には常に第１階層のすべての情報項目６０が表示される。
【００１８】
また、ディスプレイ２での具体的な表示は、図３（ａ）に示すように、上記情報画面７に表示される情報５０が「入力信号情報」であり、この「入力信号情報５０」と直列関係にある情報項目６０としては第１階層の「ティーチング」、第２階層の「モニタ」、第３階層の「入力信号」であり、また、これらと並列関係にある情報項目６０としては、第１階層の「ティーチング」が「運転」と「段取替」であり、第２階層の「モニタ」が「ティーチング」と「手動」と「新金型」であり、第３階層の「入力信号」が「出力信号」である。従って、情報画面７に「入力信号情報」の情報５０が表示されると、第１階層メニュー８１に「運転」「段取替」「ティーチング」の情報項目６０が表示され、第２階層メニュー８２に「ティーチング」「手動」「モニタ」「新金型」の情報項目６０が表示され、第３階層メニュー８３に「入力信号」「出力信号」の情報項目６０が表示される。
【００１９】
また、この表示制御手段３は、各階層メニュー８１，８２，８３における情報項目６０の各々の配置部分を上記情報画面７の画面切替え用のタブスイッチ８として機能させる。具体的には、図３（ａ）に示す、第１階層メニュー８１、第２階層メニュー８２、第３階層メニュー８３それぞれにおける各情報項目６０の配置部分が上記タブスイッチ８として機能する。
【００２０】
また、この表示制御手段３は、最下位の第３階層よりも上位の第１階層メニュー８１または第２階層メニュー８２のタブスイッチ８が選択されたときは、このタブスイッチ８の情報項目６０に関連付けられた情報５０の中から、履歴記憶手段４の履歴を参照して一番最近に表示された情報５０を上記情報画面７に表示させる。これにより、最下位階層よりも上位の階層メニュー８１，８２のタブスイッチ８を選択したときでも、そのタブスイッチ８を１回選択するだけの一操作で、情報画面７に目的とする情報５０を表示させることができ得る。
なお、この表示制御手段３は、例えば、ＣＰＵ（Ｃｅｎｔｒａｌ  Ｐｒｏｃｅｓｓｉｎｇ  Ｕｎｉｔ）等によって構成される。
【００２１】
上記履歴記憶手段４は、上記ディスプレイ２における情報画面７に表示された情報５０の一定期間の履歴を記憶するものであり、各種の内部メモリによって構成される。
【００２２】
次に、この表示装置１における画面上の表示の動作を説明する。なお、この画面上の表示の動作は、上記表示制御手段３によって制御されている。
図３に示すように、表示装置１の電源をＯＮにすると、ディスプレイ２上に規定の初期画面が開くか、または履歴記憶手段４に記憶された一番最近に表示された画面が開かれる。図３（ａ）では、一番最近に表示された画面が開かれた状態を示している。
【００２３】
この場合、画面上の情報画面７には「入力信号情報」の情報５０が表示され、この情報画面７の周囲における階層メニュー８１，８２，８３には上記「入力信号情報」と関連付けられている各階層の情報項目６０が表示されている。具体的には、第１階層メニュー８１には「運転」「段取替」「ティーチング」の情報項目６０が表示され、第２階層メニュー８２には「ティーチング」「手動」「モニタ」「新金型」の情報項目６０が表示され、また、第３階層メニュー８３には「入力信号」「出力信号」の情報項目６０が表示される。
【００２４】
そして、情報画面７に表示された情報５０の「入力信号情報」と直列関係で関連付けられる情報項目６０として、第１階層メニュー８１の「ティーチング」、第２階層メニュー８２の「モニタ」、第３階層メニュー８３の「入力信号」の各々の配置部分は、情報画面７との間の境界線が消えて「入力信号情報」と直列関係であることが明白にされる。なお、表示された情報５０と直列関係にある情報項目６０が明白となる限り、上記のような境界線の消去でなくても、これら情報項目６０の表示部分が、色反転するとか、明るさや色彩などが変化する等のような活性化であってもよい。
【００２５】
このように、情報５０と階層化された情報項目６０とが同一画面上に同時に表示されるので、表示されている情報５０とこの情報５０に関連付けられた情報項目６０の階層構造が一見して分かる。
【００２６】
次に、この図３（ａ）の状態から、第３階層メニュー８３の情報項目６０の「出力信号」に指タッチあるいはペンタッチすると、図３（ｂ）に示すように、情報画面７の画面が切替わって「出力信号情報」の情報５０が表示される。同時に、第３階層メニュー８３における情報項目６０の「入力信号」の配置部分と情報画面７との間の境界線が出現される一方、情報項目６０の「出力信号」の配置部分と上記情報画面７との間の境界線が消される。
【００２７】
このように、各階層メニュー８１，８２，８３に表示させる情報項目６０は、情報画面７における画面切替え用のタブスイッチ８として機能する。従って、このタブスイッチ８でもある情報項目６０を１回タッチして選択するだけのワンタッチ操作で情報画面７の画面切替えを行うことができる。しかも、情報画面７の表示がそのまま維持されているので、従来（図５を参照）のような上位階層の画面に戻る操作をする必要がなく、今、表示している情報５０と異なる情報５０の表示を瞬時に行うことができる。特に、最下位の第３階層メニュー８３の情報項目６０であるタブスイッチ８の選択であれば、１回の操作で、目的の情報５０を情報画面７に瞬時に表示させることができる。
【００２８】
次に、この図３（ｂ）の状態から、第２階層メニュー８２の情報項目６０の「ティーチング」に指タッチあるいはペンタッチすると、図３（ｃ）に示すように、情報画面７の画面が切替わって「ティーチング動作情報」が表示される。
【００２９】
すなわち、上記表示制御手段３は、最下位階層よりも上位の階層メニュー８１，８２のタブスイッチ８が選択されたときは、このタブスイッチ８の情報項目６０に関連付けられた情報５０の中から、上記履歴記憶手段４の履歴を参照し一番最近に表示された情報５０を上記情報画面７に表示させるようにしている。従って、この場合、第１階層メニュー８１の「ティーチング」と、第２階層メニュー８２の「ティーチング」とが選択されていたときの一番最近に表示された情報５０が第３階層メニュー８３の「動作」と関連付けられた上記「ティーチング動作情報」であることになる。
【００３０】
このように、最下位階層よりも上位の階層メニュー８１，８２のタブスイッチ８を選択したときは、過去の履歴を参照して一番最近に表示された情報５０を上記情報画面７に表示させるので、その情報５０が頻繁に表示されている確率が高く、目的の情報５０である確率が高い。従って、最下位階層よりも上位の階層メニュー８１，８２のタブスイッチ８を選択したときでも、そのタブスイッチ８を１回選択するだけのワンタッチ操作で、情報画面７に目的とする情報５０を表示させることができ得る。
【００３１】
また、図３（ｃ）に示すように、「ティーチング動作情報」が情報画面７の規定サイズの都合上、情報画面７内にすべて収まらないような場合、この情報画面７の下方にスクロールバー９が表示され、このスクロールバー９をタッチ操作することで、この情報５０の「ティーチング動作情報」をスクロール表示させることができる。このスクロールバー９の表示および情報画面７のスクロール表示は、上記表示制御手段３からの指令によって行われる。
【００３２】
さらに、図３（ｃ）に示すように、第３階層メニュー８３の情報項目６０の数が多くてそのすべてをタブスイッチ８として同時に画面サイズ内に並ばないような場合、この第３階層メニュー８３にスクロールバー９ａが表示され、このスクロールバー９ａをタッチ操作することで、情報項目６０をスクロール表示させることができる。このスクロールバー９ａの表示および情報項目６０のスクロール表示は、上記表示制御手段３からの指令によって行われる。なお、他の第１階層メニュー８１や第２階層メニュー８２においても、上記のような場合は情報項目６０がスクロール表示される。
【００３３】
以上のように、この実施の形態による表示装置１によれば、階層化された情報項目６０が一目で分かり、情報画面７に情報５０を表示させた状態でタブスイッチ８を１回選択するだけの一操作で情報画面７の画面切替えを行うことができ、今、表示している情報５０と異なる情報５０の表示を瞬時に行うことができる。従って、情報項目６０の階層構造を熟知していなくても、目的の情報５０を容易に且つ直ちに見つけ出すことができる。しかも、操作にかかる時間も短縮することができる。よって、成形機１０のオペレータは、表示装置１における情報項目６０の階層構造を熟知していなくても、この表示装置１を簡単に使いこなすことができ、コントローラ３０による取出機２０の制御や監視等を非常に円滑に行うことができる。
なお、本発明は、上記実施の形態のものに限定されず、発明の範囲を変更しない限り種々の設計変更を施すことが可能である。
【００３４】
例えば、図４に示すように、第２階層メニュー８２と、第３階層メニュー８３とを２重に並べて表示させるようにしてもよい。この場合、情報画面７に表示された情報５０と直列関係にある情報項目６０は、色反転等して活性化されている。
【００３５】
また、上記実施の形態では、情報項目６０の階層構造が３階層であったが、２階層、４階層、５階層等その他の複数階層であってもよく、この場合、階層数に応じた数の階層メニューを表示させるようにすればよい。
また、複数の階層メニューは、情報画面７の周囲に１重、２重等の多重に並べて情報画面７の周囲に沿って表示させるようにしてもよい。
【００３６】
また、複数の階層メニューは、情報画面７の周囲に階層毎に区分して配置されるのであれば、ディスプレイ２によって構成した画面内の空き領域に適宜配置させてもよい。例えば、階層メニュー８１，８２，８３を画面（２）内の最外周部における各辺に沿って配置させて情報画面７と階層メニュー８１，８２，８３との間に画面の背景画像が出現されてもよい。
【００３７】
また、階層メニュー（８１，８２，８３等）を表示する情報画面７の周囲とは、詳しくは、上述のような情報画面７の輪郭の外側でもよいし、情報画面７の臨界の内側でもよい。
また、上記情報画面７の形状は、矩形状とするが、円形、楕円形、三角形等、種々の形状に表示させてもよい。
【００３８】
【発明の効果】
以上のように、本発明に係る表示装置によれば、階層化された情報項目が一目で分かり、情報画面に情報を表示させた状態でタブスイッチを１回選択するだけの一操作で情報表示の画面切替えを行うことができ、今、表示している情報と異なる情報の表示を瞬時に行うことができる。従って、情報項目の階層構造を熟知していなくても、目的の情報を容易に且つ直ちに見つけ出すことができ、しかも、操作にかかる時間を短縮することができる。
【図面の簡単な説明】
【図１】本発明の実施の形態による表示装置の概略構成を示すブロック図である。
【図２】情報項目の階層構造を示す構成図である。
【図３】本発明の実施の形態による表示装置の画面構成を示す模式図である。
【図４】本発明の他の実施の形態による表示装置の画面構成を示す模式図である。
【図５】従来の表示装置における画面構成を示す模式図である。
【符号の説明】
１  表示装置
２  ディスプレイ（表示手段）
３  表示制御手段
４  履歴記憶手段
５  情報格納手段
６  情報項目格納手段
７  情報画面
８  タブスイッチ
５０  情報
６０  情報項目
８１  第１階層メニュー
８２  第２階層メニュー
８３  第３階層メニュー
【図１】
2005011107.tif 000003
【図２】
2005011107.tif 000004
【図３】
2005011107.tif 000005
【図４】
2005011107.tif 000006
【図５】
2005011107.tif 000007